(57)【要約】【課題】動画の記録と音声のみの記録とを、ＧＵＩ操作などの煩雑な操作を必要とすることなく使い分けられる撮像装置を提供する。【解決手段】操作者が録画ボタン１７ｂを押下すると、これに応じて記録意図判定部２０ｂが、レンズ検出部２０ａによるレンズ鏡筒３０の装着有無の検出結果を参照する。レンズ鏡筒３０がカメラボディ１０に装着されていなければ、記録処理部２０ｄは音声記録モードによる動作を開始し、音声データのみを記録する。レンズ鏡筒３０がカメラボディ１０に装着されていた場合、記録意図判定部２０ｂは更にＴＴＬ露出計２６を用いて測定した撮影レンズ３２を通過する光量を、所定のしきい値と比較する。光量が所定のしきい値より小さい場合、記録処理部２０ｄは音声記録モードによる動作を開始し、音声データのみを記録する。それ以外の場合、記録処理部２０ｄは動画記録モードによる動作を開始し、動画像データを記録する。【選択図】図１
2010278758.tif 000002
【特許請求の範囲】
【請求項１】
撮影レンズを介して被写体を撮像し動画像データを出力する撮像手段と、
外部の音源により発せられた音を音声データに変換する変換手段と、
記録媒体へ少なくとも前記動画像データを記録する第１の動作モードと、記録媒体へ前記動画像データを記録せずに前記音声データを記録する第２の動作モードと、を有する記録手段と、
操作者による記録指示を入力する入力手段と、
前記操作者による動画像データの記録意図の有無を判定する判定手段と、
前記入力手段へ入力された記録指示に応じて、前記判定手段により前記記録意図があると判定された場合には前記記録手段へ前記第１の動作モードによる記録を開始させ、前記判定手段により前記記録意図がないと判定された場合には前記記録手段へ前記第２の動作モードによる記録を開始させる制御手段と、
を備えることを特徴とする撮像装置。
【請求項２】
請求項１に記載の撮像装置において、
前記入力手段は、外部から操作される単一の操作部材を有することを特徴とする撮像装置。
【請求項３】
請求項１または２に記載の撮像装置において、
被写体光が前記撮影レンズに入射しない状態を検出する検出手段を更に備え、
前記判定手段は、前記検出手段により被写体光が前記撮影レンズに入射しない状態であることが検出された場合に前記記録意図がないと判定し、それ以外の場合に前記記録意図があると判定することを特徴とする撮像装置。
【請求項４】
請求項３に記載の撮像装置において、
前記検出手段は、前記撮影レンズが遮光物で覆われている状態を検出することを特徴とする撮像装置。
【請求項５】
請求項３に記載の撮像装置において、
前記撮影レンズは着脱可能な交換レンズであり、
前記検出手段は、前記撮影レンズが取り外されている状態を検出することを特徴とする撮像装置。
【請求項６】
請求項１または２に記載の撮像装置において、
前記記録手段は、前記第１の動作モードにおいて、前記動画像データに加えて前記音声データを記録媒体へ記録し、
前記制御手段は、前記記録手段が前記第１の動作モードで動作しているときに前記判定手段により前記記録意図がないと判定された場合、前記記録手段を前記第２の動作モードに切り替えることを特徴とする撮像装置。
【発明の詳細な説明】
【技術分野】
【０００１】
本発明は、撮像装置に関する。
【背景技術】
【０００２】
静止画像に加えて動画像を記録することができるカメラが知られている。このようなカメラの中には、マイクロホンなどの録音用の部材を搭載し、動画像に関連付けて音声を記録可能なものが存在する。例えば特許文献１には、動画像に関連付けて音声を記録するのみならず、音声のみを記録する機能を有し、いわゆるボイスレコーダーとして利用することができる電子カメラが記載されている。
【先行技術文献】
【特許文献】
【０００３】
【特許文献１】特開２００２−２２３４０３号公報
【発明の概要】
【発明が解決しようとする課題】
【０００４】
特許文献１に記載の電子カメラは、音声付き動画の記録を行う動画モードと音声のみの記録を行うボイスレコーダーモードとを、ＧＵＩ操作により予め選択しておく必要があるので、両者の使い分けが煩雑であった。
【課題を解決するための手段】
【０００５】
請求項１に係る発明は、撮影レンズを介して被写体を撮像し動画像データを出力する撮像手段と、外部の音源により発せられた音を音声データに変換する変換手段と、記録媒体へ少なくとも前記動画像データを記録する第１の動作モードと、記録媒体へ前記動画像データを記録せずに前記音声データを記録する第２の動作モードと、を有する記録手段と、操作者による記録指示を入力する入力手段と、前記操作者による動画像データの記録意図の有無を判定する判定手段と、前記入力手段へ入力された記録指示に応じて、前記判定手段により前記記録意図があると判定された場合には前記記録手段へ前記第１の動作モードによる記録を開始させ、前記判定手段により前記記録意図がないと判定された場合には前記記録手段へ前記第２の動作モードによる記録を開始させる制御手段と、を備えることを特徴とする撮像装置である。
【発明の効果】
【０００６】
本発明によれば、動画の記録と音声の記録とを、煩雑な操作を行うことなく使い分けることができる。
【図面の簡単な説明】
【０００７】
【図１】本発明を適用した一眼レフレックスタイプのカメラ１を示した斜視図である。
【図２】カメラ１の詳細な構成を示すブロック図である。
【図３】カメラ１による動画および音声の記録処理を示すフローチャートである。
【図４】動画と音声の切替処理を示すフローチャートである。
【図５】本発明を適用したコンパクトタイプのカメラ１００を示した斜視図である。
【図６】カメラ１００の詳細な構成を示すブロック図である。
【図７】被写体光が撮影レンズに入射しない状態であることを検出する手順の例を説明する図である。
【発明を実施するための形態】
【０００８】
（第１の実施の形態）
図１は、本発明を適用した一眼レフレックスタイプのカメラ１を示した斜視図である。カメラ１は、カメラボディ１０と、カメラボディ１０へ着脱可能なレンズ鏡筒３０とを備える。レンズ鏡筒３０にはレンズキャップ５０を装着させることが可能である。
【０００９】
カメラボディ１０にはレンズ鏡筒３０を装着するためのレンズマウント１１が設けられている。レンズ鏡筒３０が装着されると、レンズマウント１１上に設けられた電気的接続部１２がレンズ鏡筒３０の電気的接続部３１に接続される。この電気的接続部１２、３１は、カメラボディ１０からレンズ鏡筒３０への電力供給や、カメラボディ１０からレンズ鏡筒３０への制御信号の送信などに利用される。
【００１０】
カメラボディ１０内のレンズマウント１１後方には撮像素子１３が設けられており、レンズマウント１１と撮像素子１３の間には、カメラボディ１０のファインダーへ被写体光を導くためのクイックリターンミラー１４が設けられている。カメラボディ１０の側面には記録媒体装着部１５が存在し、この記録媒体装着部１５には記録媒体１６が挿入され取り付けられている。カメラボディ１０の上方にはレリーズボタン１７ａと録画ボタン１７ｂが設けられている。
【００１１】
図２は、カメラ１の詳細な構成を示すブロック図である。カメラ１は、図１に示した各部に加えて、撮影レンズ３２，ＴＴＬ（スルー・ザ・レンズ）露出計２６，焦点調節装置３３，入力装置１７，マイクロホン２７，制御回路２０，ＤＲＡＭ２１，フラッシュメモリ２２，ＬＣＤ駆動回路２３，液晶モニタ２４，およびメモリカードＩ／Ｆ（インタフェース）２５を備える。
【００１２】
制御回路２０は例えばＲＩＳＣ等で構成された回路であり、フラッシュメモリ２２から所定の制御プログラムを読み込んで実行することによって、図１および図２に示した各部の制御を行う。ＴＴＬ露出計２６はカメラボディ１０内に設けられた露出計であり、撮影レンズ３２を通過した被写体光の光量を測定し、光量信号を制御回路２０へ出力する。
【００１３】
撮像素子１３は、画素に対応する複数の光電変換素子を備えたＣＣＤやＣＭＯＳイメージセンサによって構成される。撮像素子１３は、撮像面上に結像されている被写体像を撮像し、被写体像の明るさに応じた光電変換信号（画像信号）を制御回路２０へ出力する。撮像素子１３の撮像面には、それぞれＲ（赤）、Ｇ（緑）およびＢ（青）のカラーフィルタが画素位置に対応するように設けられている。撮像素子１３がカラーフィルタを通して被写体像を撮像するため、各撮像素子から出力される画像信号は、それぞれＲＧＢ表色系の色情報を有する。
【００１４】
焦点調節装置３３は、制御回路２０から出力される焦点評価値に基づいて、焦点評価値が最大となる位置へ撮影レンズ３２を移動する。焦点評価値は、制御回路２０が撮像素子１３から出力される撮像信号に基づいて行う周知の焦点評価値演算の演算結果である。
【００１５】
入力装置１７は、レリーズボタン１７ａや録画ボタン１７ｂなどの種々の操作ボタンを含み、ユーザによる各操作ボタンの操作信号を制御回路２０へ出力する。ユーザがレリーズボタン１７ａを押下すると、撮像素子１３による撮像が行われ、制御回路２０へ画像信号が出力される。制御回路２０は、この画像信号に対して種々の画像処理を行い、画像データを生成する。そして、制御回路２０は生成された画像データに対してＪＰＥＧなどの所定の方式により圧縮処理を行い、ＥＸＩＦなどの形式の画像ファイルとして記憶媒体１６へ記録する。
【００１６】
マイクロホン２６は、外部の音源により発せられた音を音声信号に変換して制御回路２０へ出力する。制御回路２０は、この音声信号に対して種々の演算処理を行い、音声データを生成する。生成された音声データは制御回路２０により記録媒体１６へ記録される。
【００１７】
ＤＲＡＭ２１は、画像処理、画像圧縮処理および表示用画像データ作成処理の途中や処理後のデータを一時的に格納するために使用される。表示用画像データは、制御回路２０が撮像素子１３からの出力に基づいて生成した画像データ、もしくは記憶媒体１６に記録されている画像データに基づいて、制御回路２０により生成される。生成された表示用画像データは、制御回路２０によりＤＲＡＭ２１に格納される。フラッシュメモリ２２は、前述した制御回路２０が実行する制御プログラムなどが記録された不揮発性メモリである。
【００１８】
ＬＣＤ駆動回路２３は制御回路２０の命令に基づいて液晶モニタ２４を駆動し、液晶モニタ２４はＤＲＡＭ２１に格納された表示用画像データに基づいて画像を表示する。また、液晶モニタ２４は、デジタルカメラの各種設定メニュー画面の表示を行なう。メモリカードＩ／Ｆ２５は記録媒体１６の読み書きを行うためのインタフェース回路である。記録媒体装着部１５へ記録媒体１６が挿入され取り付けられると、メモリカードＩ／Ｆ２５と記録媒体１６とが接続され、制御回路２０から記録媒体１６の読み書きが行えるようになる。
【００１９】
制御回路２０はソフトウェア形態によりレンズ検出部２０ａ，記録意図判定部２０ｂ，記録制御部２０ｃ，および記録処理部２０ｄを備える。これらの各部は、制御回路２０がフラッシュメモリ２２に記録されている所定の制御プログラムを実行することにより、ソフトウェア的に実現される。
【００２０】
レンズ検出部２０ａは、電気的接続部１２からレンズ鏡筒３０に対して通信を試みることにより、レンズ鏡筒３０がレンズマウント１１に装着されているか否かを検出する。記録意図判定部２０ｂは、レンズ検出部２０ａによる検出結果およびＴＴＬ露出計２６の出力に基づいて、カメラ１の操作者に動画を記録する意図があるか否かを判定する。記録制御部２０ｃは、記録意図判定部２０ｂの判定結果に基づく動作モードで記録処理部２０ｄを動作させる。記録処理部２０ｄは、動画データと音声データとのいずれか少なくとも一方を記録媒体１６へ記録する。
【００２１】
次に、記録処理部２０ｄの動作モードについて説明する。記録処理部２０ｄは、動画記録モードと、音声記録モードと、の２つの動作モードを有する。以下、これらの動作モードについて順に説明する。
【００２２】
動画記録モードによる動作を開始すると、記録処理部２０ｄはまずフラッシュメモリ２２に格納されている動画記録設定を読み出す。動画記録設定が「動画のみ」である場合、記録処理部２０ｄは撮像素子１３から出力される画像信号に基づき動画像データを作成する。作成された動画像データは記録媒体１６へ記録される。動画記録設定が「動画＋音声」であった場合には、記録処理部２０ｄは上記の動画像データと共に、マイクロホン２７から出力される音声信号に基づき音声データを作成する。そして、この音声データを動画像データと共に記録媒体１６へ記録する。カメラ１の操作者は、記録処理部２０ｄが動作していないとき、入力装置１７を用いてフラッシュメモリ２２に格納されている動画記録設定を変更することができる。
【００２３】
音声記録モードによる動作を開始すると、記録処理部２０ｄはマイクロホン２７から出力される音声信号に基づき音声データを作成する。作成された音声データは記録媒体１６へ記録される。音声記録モードによる動作中は、上述の動画記録モードとは異なり、音声データと共に動画像データが記録されることはない。
【００２４】
記録処理部２０ｄが上述した２つの動作モードのどちらに基づいて動作するかは、記録制御部２０ｃにより制御される。カメラ１の操作者が録画ボタン１７ｂを押下すると、これに応じて記録意図判定部２０ｂが動作する。記録意図判定部２０ｂは、まずレンズ検出部２０ａによるレンズ鏡筒３０の装着有無の検出結果を参照する。レンズ鏡筒３０がカメラボディ１０に装着されていなければ、記録意図判定部２０ｂは操作者に映像を記録する意図がないものと判定する。これにより、記録制御部２０ｃは記録処理部２０ｄに音声記録モードによる動作を開始させる。
【００２５】
他方、レンズ鏡筒３０がカメラボディ１０に装着されていた場合、記録意図判定部２０ｂは更にＴＴＬ露出計２６を用いて撮影レンズ３２を通過する光量を測定し、測定結果を所定のしきい値と比較する。例えばレンズキャップ５０が取り付けられている等、撮影レンズ３２が遮光物で覆われていた場合、被写体光が撮影レンズ３２を通過しないので、ＴＴＬ露出計２６により測定された光量は所定のしきい値より小さくなる。このとき、記録意図判定部２０ｂは操作者に映像を記録する意図がないものと判定し、記録制御部２０ｃは記録処理部２０ｄに音声記録モードによる動作を開始させる。
【００２６】
カメラボディ１０にレンズ鏡筒３０が装着されており且つＴＴＬ露出計２６が測定した光量が所定のしきい値以上だった場合、記録意図判定部２０ｂは操作者に映像を記録する意図があると判定する。これにより、記録制御部２０ｃは記録処理部２０ｄに動画記録モードによる動作を開始させる。なお、記録処理部２０ｄがいずれかの動作モードで動作しているときに操作者が録画ボタン１７ｂを押すと、記録制御部２０ｃは記録処理部２０ｄの動作を終了させる。
【００２７】
動画記録設定が「動画＋音声」となっている場合、記録処理部２０ｄが動画記録モードにより動作している最中にＴＴＬ露出計２６により測定された光量が所定のしきい値以下になると、記録制御部２０ｃは記録処理部２０ｄの動作モードを音声記録モードに切り替える。これは、例えばレンズキャップ５０が取り付けられたまま動画像データの記録を継続しても、記録媒体１６に記録される動画像データは真っ暗な映像となるためである。この後、レンズキャップ５０が外されると記録制御部２０ｃは記録処理部２０ｄの動作モードを再び動画記録モードに切り替える。
【００２８】
図３は、カメラ１による動画および音声の記録処理を示すフローチャートである。まずステップＳ１１では、制御回路２０が録画ボタン１７ｂの押下の有無を判定する。録画ボタン１７ｂが押下されるまでステップＳ１１の処理を繰り返し、録画ボタン１７ｂが押下された場合にはステップＳ１２へ進む。ステップＳ１２では、レンズ検出部２０ａがレンズ鏡筒３０の装着の検出処理を実行する。ステップＳ１３では、記録意図判定部２０ｂが、レンズ検出部２０ａによりレンズ鏡筒３０を装着中であることが検出されたか否かを判定する。レンズ鏡筒３０が装着中であることが検出されなかった場合はステップＳ２１へ進み、記録制御部２０ｃが記録処理部２０ｄの音声記録モードによる動作を開始させる。これにより、ステップＳ２２で記録処理部２０ｄが音声データの記録を開始する。他方、レンズ鏡筒３０を装着中であることが検出された場合には、ステップＳ１４へ進む。
【００２９】
ステップＳ１４では、ＴＴＬ露出計２６が光量の測定を行い、光量信号を制御回路２０へ出力する。ステップＳ１５では、記録意図判定部２０ｂが、ＴＴＬ露出計２６により測定された光量が所定量以下であるか否かを判定する。光量が所定量以下であった場合にはステップＳ１３における判定と同様にステップＳ２１へ進む。他方、光量が所定量を上回っていた場合にはステップＳ１６へ進む。
【００３０】
ステップＳ１６では、記録制御部２０ｃが記録処理部２０ｄの動画記録モードによる動作を開始させる。動作を開始した記録処理部２０ｄは、ステップＳ１７でフラッシュメモリ２２から動画記録設定を読み出し、動画記録設定の内容が「動画＋音声」であるか否かを判定する。動画記録設定が「動画＋音声」であった場合にはステップＳ１９へ進み、記録処理部２０ｄが記録媒体１６への動画像データおよび音声データの記録処理を開始する。その後ステップＳ２０において、記録中にレンズキャップ５０が取り付けられる事態に対処するため、後述する動画と音声の切替処理を実行する。他方、動画記録設定が「動画のみ」であった場合にはステップＳ１８へ進み、記録処理部２０ｄが記録媒体１６への動画像データの記録処理を開始する。
【００３１】
ステップＳ２３では、制御回路２０が録画ボタン１７ｂの押下の有無を判定する。録画ボタン１７ｂが押下されるまでステップＳ２２の処理を繰り返し、録画ボタン１７ｂが押下された場合にはステップＳ２３へ進む。ステップＳ２３では、記録制御部２０ｃが記録処理部２０ｄの動作を終了させる。
【００３２】
図４は、動画と音声の切替処理を示すフローチャートである。このフローチャートに示す処理の実行を開始するとき、記録処理部２０ｄは動画記録モードで動作しており、記録媒体１６へは動画像データおよび音声データが記録されている。まずステップＳ３１では、ＴＴＬ露出計２６が光量の測定を行い、光量信号を制御回路２０へ出力する。
【００３３】
ステップＳ３２では、記録意図判定部２０ｂが、ＴＴＬ露出計２６により測定された光量と所定量との大小関係が変化したか否かを判定する。例えば、前回の比較ではＴＴＬ露出計２６により測定された光量が所定量以下であったが今回の比較では光量が所定量を超えていた場合や、その逆の場合に肯定判定がなされ、ステップＳ３３へ進む。ステップＳ３３では、記録制御部２０ｃが、記録処理部２０ｄの動作モードを現在の動作モードとは異なる動作モードに切り替える。例えば、現在の動作モードが音声記録モードであれば動画記録モードに切り替え、現在の動作モードが動画記録モードであれば音声記録モードに切り替える。他方、ステップＳ３２において否定判定がなされた場合にはステップＳ３４へ進む。
【００３４】
ステップＳ３４では、ステップＳ２３（図３）と同様に、制御回路２０が録画ボタン１７ｂの押下の有無を判定する。録画ボタン１７ｂが押下されていなければステップＳ３１に戻り、上述した処理を繰り返す。他方、録画ボタン１７ｂが押下されていた場合には図４に示す処理を終了する。
【００３５】
上述した第１の実施の形態によるカメラによれば、次の作用効果が得られる。
（１）記録制御部２０ｃは、記録意図判定部２０ｂにより動画像データの記録意図があると判定された場合には動画記録モードで、記録意図がないと判定された場合には音声記録モードで記録処理部２０ｄの動作を開始させる。これにより、動画像データの記録と音声データのみの記録とを、同一の操作で使い分けることができる。
【００３６】
（２）記録処理部２０ｄは、単一の録画ボタン１７ｂの押下に応じて動画記録モードまたは音声記録モードによる動作を開始する。これにより、これら２つの動作モードを切り替えるための追加のボタンや操作を必要とせず、単純な操作で２つの動作モードを使い分けることができる。
【００３７】
（３）記録意図判定部２０ｂは、ＴＴＬ露出計２６により撮影レンズ３２がレンズキャップなどの遮光物で覆われている状態であることが検出された場合、あるいは、レンズ検出部２０ａによりレンズ鏡筒３０が装着されていないことが検出された場合に、動画像データの記録意図がないと判定する。これにより、何ら意味のある映像を含まない動画像データにより記録媒体１６の記録容量を消費されることがない。
【００３８】
（４）記録制御部２０ｃは、記録処理部２０ｄが動画像データと音声データの両方を記録中に、記録意図判定部２０ｂによる判定結果が変化した場合、記録処理部２０ｄの動作モードを音声記録モードに切り替える。これにより、記録動作中に記録状況が変化した場合であっても、何ら意味のある映像を含まない動画像データが記録される問題を防止することができる。
【００３９】
本発明は、一眼レフレックスタイプ以外のカメラへ適用することも可能である。以下に詳述する第２の実施の形態では、いわゆるコンパクトタイプのカメラへ本発明を適用している。
【００４０】
（第２の実施の形態）
図５は、本発明を適用したコンパクトタイプのカメラ１００を示した斜視図である。図５（ａ）にはカメラ１００を正面から見た図を、図５（ｂ）にはカメラ１００を裏面から見た図をそれぞれ示す。なお本実施の形態によるカメラ１００において、第１の実施の形態と同一の装置および回路については、同一の符号を付して説明を省略する。
【００４１】
図５（ａ）に示すように、カメラ１００の正面には撮影レンズ３２が設けられている。また、カメラ１００の上面にはレリーズボタン１１７ａおよび電源ボタン１１７ｂが設けられている。図５（ｂ）に示すように、カメラ１００の裏面には種々のボタン１１７ｃ〜１１７ｈと、液晶モニタ２４と、が設けられている。本実施形態では、ボタン１１７ｃ〜１１７ｈのうち、ボタン１１７ｅを録画開始ボタンとして用いる。
【００４２】
カメラ１００が電源オフ状態のとき、撮影レンズ３２は不図示のレンズバリアにより覆われる。カメラ１００が電源オフ状態から電源オン状態になると、撮影レンズ３２を覆うレンズバリアは後述する制御回路の制御により駆動され、カメラ１００は撮影レンズ３２を用いた撮像が可能な状態となる。
【００４３】
図６は、カメラ１００の詳細な構成を示すブロック図である。カメラ１００は、図５に示した各部に加えて、焦点調節装置３３，入力装置１１７，マイクロホン２７，制御回路１２０，ＤＲＡＭ２１，フラッシュメモリ１２２，ＬＣＤ駆動回路２３，液晶モニタ２４，メモリカードＩ／Ｆ（インタフェース）２５，および記録媒体１６を備える。
【００４４】
制御回路１２０は例えばＲＩＳＣ等で構成された回路であり、フラッシュメモリ１２２から所定の制御プログラムを読み込んで実行することによって、図５および図６に示した各部の制御を行う。入力装置１１７は、レリーズボタン１１７ａ、電源ボタン１１７ｂ、録画ボタン１１７ｅなどの種々の操作ボタンを含み、ユーザによる各操作ボタンの操作信号を制御回路１２０へ出力する。
【００４５】
制御回路１２０はソフトウェア形態により光量検出部１２０ｅ，記録意図判定部１２０ｂ，記録制御部１２０ｃ，および記録処理部１２０ｄを備える。これらの各部は、制御回路１２０がフラッシュメモリ１２２に記録されている所定の制御プログラムを実行することにより、ソフトウェア的に実現される。
【００４６】
光量検出部１２０ｅは、撮像素子１３により出力される画像信号に基づいて、撮影レンズ３２を通過した光量の検出を行う。具体的には、全画素の輝度値の積算値を算出し、この積算値を光量として出力する。記録意図判定部１２０ｂは、光量検出部１２０ｅによる検出結果に基づいて、カメラ１００の操作者に動画を記録する意図があるか否かを判定する。この判定は、光量検出部１２０ｅが出力した積算値を所定のしきい値と比較することにより行われる。記録制御部１２０ｃは、記録意図判定部１２０ｂの判定結果に基づく動作モードで記録処理部１２０ｄを動作させる。記録処理部１２０ｄは、動画データと音声データとのいずれか少なくとも一方を記録媒体１６へ記録する。
【００４７】
カメラ１００の操作者が録画ボタン１１７ｅを押下すると、これに応じて記録意図判定部１２０ｂが動作する。記録意図判定部１２０ｂは、撮影レンズ３２が遮光物に覆われていないか調べる。具体的には、光量検出部１２０ｅにより撮影レンズ３２を通過する光量の測定が行われる。例えば操作者が撮影レンズ３２を手のひらで覆っている場合、被写体光が撮影レンズ３２を通過しないので、記録意図判定部１２０ｂは操作者に映像を記録する意図がないものと判定する。これにより記録制御部１２０ｃは記録処理部１２０ｄに音声記録モードによる動作を開始させる。他方、撮影レンズ３２が遮光物に覆われていない場合、記録意図判定部１２０ｂは操作者に映像を記録する意図があると判定する。これにより、記録制御部１２０ｃは記録処理部１２０ｄに動画記録モードによる動作を開始させる。
【００４８】
上述した第２の実施の形態によるカメラによれば、第１の実施の形態によるカメラで得られる作用効果に加えて、次の作用効果が得られる。
（１）光量検出部１２０ｅは、撮像素子１３により出力される画像信号に含まれる全画素の輝度値の積算値を算出し、この積算値を光量として出力する。これにより、露出計が存在しない場合であっても、何ら意味のある映像を含まない動画像データが記録される問題を防止することができる。
【００４９】
次のような変形も本発明の範囲内であり、変形例の一つ、もしくは複数を上述の実施形態と組み合わせることも可能である。
【００５０】
（変形例１）
被写体光が撮影レンズに入射しない状態であることを、上述した実施形態以外の手順により検出してもよい。例えば、撮像素子が出力した画像信号に基づいてコントラストを演算し、このコントラストが所定のしきい値以下であった場合に操作者に動画を記録する意図がないものと判定するようにしてもよい。また、以下に説明する手順を採ってもよい。
【００５１】
図７は、被写体光が撮影レンズに入射しない状態であることを検出する手順の例を説明する図である。図７に示すように、撮像素子が出力した画像７０を複数の領域７１，７２，７３，…に分割し、それぞれの領域の輝度値を積算した後、各領域の積算値の最大値と最小値との差を計算する。この最大値と最小値との差が所定のしきい値以下であった場合に、被写体光が撮影レンズに入射しない状態であると判定する。
【００５２】
（変形例２）
電源オン状態で操作が行われないまま一定時間が経過するといわゆる省電力モードに移行する撮像装置において、省電力モード時には通常時と異なる操作により記録意図判定部が動作するようにしてもよい。例えば、省電力モード時には録画ボタンを所定時間押し続けなければ動画像データおよび音声データの記録が開始されないようにしてもよい。また、撮像装置が電源オフ状態のときに録画ボタンを長押しすると、電源ボタンを押下していないにも係わらず電源オン状態に移行すると共に、動画像データおよび音声データの記録が開始されるようにしてもよい。これにより、撮像装置の電源状態に依らず速やかに動画像データおよび音声データの記録を開始することができるようになる。
【００５３】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００５４】
１，１００  カメラ
１０  カメラボディ
１７ｂ，１１７ｅ  録画ボタン
２０，１２０  制御回路
３０  レンズ鏡筒
５０  レンズキャップ
【図１】
2010278758.tif 000003
【図２】
2010278758.tif 000004
【図３】
2010278758.tif 000005
【図４】
2010278758.tif 000006
【図５】
2010278758.tif 000007
【図６】
2010278758.tif 000008
【図７】
2010278758.tif 000009